(57)【要約】【課題】片手で使用できる応援グッズを提供すること。【解決手段】応援グッズ１は、枠状に形成する本体部３と、本体部３に弛みを有して装着する音発生部材５とを備えている。枠状の本体部３は上枠部３ａ、下枠部３ｂ、両側枠部３ｃ、３ｄを備えている。下枠部３ｂに下方に延設する柄部４を配置させ、両側枠部３ｃ、３ｄに左右両端部５ａ、５ａを粘着した音発生部材５を配置する。音発生部材５の上端部と本体部３の上枠部３ａとの間に空間開放部３１を形成し、音発生部材５の下端部と下枠部３ｂ殿間に空間開放部３２を形成する。柄部４を握って前後方向又は左右方向に連続的に振ってバタつき音を発生させて応援する。【選択図】図１
0003125921.tif 000002
【実用新案登録請求の範囲】
【請求項１】
柄部を有する枠状のフレームと、前記フレームに固定された音発生部材と、を備えて構成され、前記音発生部材が前記フレームに弛みを有して装着されることを特徴とする音出し用応援グッズ。
【請求項２】
前記音発生部材に、応援対象の文字又は図形が印刷されていることを特徴とする請求項１記載の音出し用応援グッズ
【請求項３】
前記柄部には他部位に掛止する掛止部材が装着されていることを特徴とする請求項１又は２記載の音出し用応援グッズ。
【請求項４】
前記フレームに光発生部材が装着されていることを特徴とする請求項１，２又は３のいずれかに記載の音出し用応援グッズ。
【請求項５】
前記音発生部材に錘が装着されていることを特徴とする請求項１，２，３又は４のいずれかに記載の音出し用応援グッズ。
【請求項６】
前記フレームあるいは音発生部材のいずれかに鈴が装着されていることを特徴とする請求項１，２，３，４又は５記載の音出し用応援グッズ。
【考案の詳細な説明】
【技術分野】
【０００１】
本考案は、応援グッズに関し、さらに片手で持って音を出すように構成する音出し用応援グッズに関する。
【背景技術】
【０００２】
通常、スポーツ競技において、ファンは応援しているチームあるいは選手に応援グッズを用いて応援することがよく行われている。この場合、応援グッズとしては、両手を使用して叩いて音を発生したり、又二つ割に形成するとともに一方の片手で振って他方の片手で受けることによって二つの部位を叩いて音を発生したりするメガホン状のグッズ、あるいは、一対の柱状体を紐体で連結したヌンチャク状のグッズ等がよく知られている。例えば、ヌンチャク状のグッズとしては特許文献１においてよく知られている。これによれば、一対の柱状体を折畳み可能とするとともに内部を中空状に形成することによって、近隣及び他の観戦者に迷惑をかけない程度の音を出すことができ、また、持ち運びを容易に行なえるように工夫をしている。
【特許文献１】登録実用新案第３０５０１６０号公報
【考案の開示】
【考案が解決しようとする課題】
【０００３】
しかし、上記に示す従来の応援グッズは、いずれも両手を使用しなければ音を発生させることができなかった。例えば、折角購入した応援グッズでも、観戦時に、持ち物が多かったり片手を使用していたりする場合には充分に使用することができない。そのため、片手で使用しても音を発生できる応援グッズが求められていた。
【課題を解決するための手段】
【０００４】
本考案は、上述の課題を解決するものであり、容易な構成でしかも片手で使用できる応援グッズを提供することを目的とするものであり、そのために本考案に係る音出し用応援グッズは、以下のように構成するものである。すなわち、
請求項１記載の考案では、柄部を有する枠状のフレームと、前記フレームに固定された音発生部材と、を備えて構成され、前記音発生部材が前記フレームに弛みを有して装着されることを特徴とするものである。
【０００５】
請求項２記載の考案では、前記音発生部材に、応援対象の文字又は図形が印刷されていることを特徴としている。
【０００６】
請求項３記載の考案では、前記柄部には他部位に掛止する掛止部材が装着されていることを特徴としている。
【０００７】
請求項４記載の考案では、前記フレームに光発生部材が装着されていることを特徴としている。
【０００８】
請求項５記載の考案では、前記音発生部材に錘が装着されていることを特徴としている。
【０００９】
請求項６記載の考案では、前記フレームあるいは音発生部材のいずれかに鈴が装着されていることを特徴としている。
【考案の効果】
【００１０】
本考案によれば、応援グッズは、片手で持って振るだけで音を発生させることができる。つまり、枠状の本体部に音発生部材を装着するとともに音発生部材をフレームに弛むように装着することによって、応援グッズを手で振る際に、フレームに弛むように装着された音発生部材が一方から他方に移動して張ったときの音（以下、バタつき音という。）を発生することができる。この場合、音を効率的に発生させるために、例えば、音発生部材に錘を付けることによって音を出しやすくする。また、フレーム又は音発生部材に鈴を付ければ、季節感を出すことができ応援雰囲気を盛り上げることができる。さらに、音発生部材にチーム名や選手名を表示しておくことによって視覚的にアピールすることができて応援効果を高めるとともに、本体部に光発生部材を装着すれば、応援グッズを振ることによって目立つことができて効果的に応援をすることができる。観戦が終了して自宅で保管する際には、柄部の先端に装着した掛止部材を壁等に掛けておく。これによって、応援意識を高めるとともに邪魔にならずに保存することができる。いずれも容易な構成であることから廉価に製作することができる。しかも片手で使用できることから、例えば、応援しながら飲食することができるとともにハンドバックやカバンを持ちながら応援することもできる。また、片手がハンディキャップを有しているファンでも応援することができる。さらにこの応援グッズは軽量なことから携帯性に優れているとともに、他人に怪我をさせることもない。
【考案を実施するための最良の形態】
【００１１】
次に、本考案の音出し用応援グッズ（以下、応援グッズという。）の一形態を図面に基づいて説明する。以下に説明する応援グッズは片手で使用するとともに、弛んだ部材を張ることによって発生するバタつき音で応援をするものである。
【００１２】
図１〜２に示すように、応援グッズ１は、一方に柄部４を有して矩形枠状に形成するフレーム（以下、本体部という。）３と、枠状の本体部３の対向する２辺にその左右両端部を架けて配置する音発生部材５と、を有して構成されている。本体部３は丸棒状、角棒状、円筒状、角筒状のいずれかで形成され、材料は、樹脂製又は金属製で形成されている。本体部３は上枠部３ａ、下枠部３ｂ、両側枠部３ｃ、３ｄを有し、下枠部３ｄに下方に延びる柄部４が配置され、両側枠部３ｃ、３ｄに音発生部材５が装着されている。
【００１３】
音発生部材５は、紙製、樹脂製、布製のいずれかで形成されて、本体部３の両側枠部３ｃ、３ｄに装着されている。つまり、音発生部材５は両側部５ａ、５ａを筒状に形成して両側枠部３ｃ、３ｄに挿通させて粘着するか、又は両側部５ａ、５ａを両側枠部３ｃ、３ｄに巻き付けて粘着するか、あるいは樹脂製のフィルム材の両側部５ａ、５ａを本体部３に被せて振動溶着で固着する。なお、図２は、フィルム材の音発生部材５の両側部５ａ、５ａを振動溶着で固着した状態を示す。いずれも中央部５ｂを弛ませるようにして装着する。この弛みの大小を調整することにより音の大きさを加減することができる。この際、応援グッズ１が振られたときに音発生部材５の振幅を大きくしやすいように、音発生部材５の上端部と上枠部３ａとの間には、開放空間部３１が形成され、音発生部材５の下端部と下枠部３ｂとの間には、開放空間部３２が形成されている。なお、音発生部材５の本体部３との装着は、特に振動溶着で固着する場合は、左右ではなく上下両端部で行ってもよい。この場合、開放空間部は左右方向に形成されることとなる。
【００１４】
なお、柄部４の下端部には、掛止部材、例えば、ストラップやキーホルダを装着するための孔状掛止部４ａが形成されている。
【００１５】
本体部３の形状は、図１に示す以外にも他の形態を形成することができる。例えば、図３に示す応援グッズ１Ａは、図１における本体部３の下枠部３ｂに代えて下方に傾斜する二又枠部３ｅ、３ｆに形成したものである。つまり、柄部４Ａを有する本体部３Ａは、上枠部３ａ、両側枠部３ｃ、３ｄ及び下部二又枠部３ｅ、３ｆで形成されている。音発生部材５Ａは、その左右両端部５ａ、５ａを本体部３の両側枠部３ｃ、３ｄに粘着して固定するとともに中央部５ｂに弛みを有して本体部３Ａに装着されている。本体部３Ａにおける音発生部材５Ａの上端部と上枠部３ａとの間に開放空間部３１Ａが形成され、音発生部材５Ａの下端部と二又枠部３ｅ、３ｆ間に開放空間部３２Ａが形成されている。
【００１６】
図４に示す応援グッズ１Ｂでは、柄部４Ｂを下方に配置した丸枠状の本体部３Ｂと、丸枠状の本体部３Ｂの上部の一部と下部の一部を除いて本体部３Ｂに装着される音発生部材５Ｂと、を備えて構成されている。音発生部材５Ｂの左右両端部５ａ、５ａが丸枠状の左右両側部に装着されるとともに中央部５ｂが弛むようにして装着されている。音発生部材５Ｂの上端部と本体部３Ｂの上部との間に開放空間部３１Ｂが形成され、音発生部材５Ｂの下端部と本体部３Ｂの下部との間に、開放空間部３２Ｂが形成されている。
【００１７】
図５に示す応援グッズ１Ｃは、図４における応援グッズ１Ｂにおける本体部３Ｂを変形したものであり、丸枠状の本体部３Ｃの上部の一部を直線状に形成したものである。下部の円弧部から柄部４Ｃを下方に向かって延設し、本体部３Ｃの上部の一部と下部の一部を除いて音発生部材５Ｃの両端部５ａ、５ａが丸枠状の左右両側部に装着されるとともに中央部５ｂが弛むようにして装着されている。応援グッズ１Ｃにおいても、音発生部材５Ｃの上端部と本体部３Ｃの上部との間に開放空間部３１Ｃが形成され、音発生部材５Ｃの下端部と本体部３Ｃの下部との間に開放空間部３２Ｃが形成されている。
【００１８】
図６に示す応援グッズ１Ｄは、図１における本体部３の上枠部３ａを上方及び左右方向に拡張して屋根状に形成したものであり、本体部３Ｄは、屋根枠部３ｇ、下枠部３ｂ、左右両側枠部３ｃ、３ｄ及び下枠部３ｂから下方に延設する柄部４Ｄを備えている。音発生部材５Ｄは、両端部５ａ、５ａが左右両側枠部３ｃ、３ｄ間に架かるように装着されるとともに中央部５ｂが弛むように装着されている。
【００１９】
音発生部材５Ｄの上方は屋根枠部３ｇ内に開放空間部３１Ｄが形成され、音発生部材５Ｄの下方は下枠部３ｂとの間に開放空間部３２Ｄが形成されている。
【００２０】
図７に示す応援グッズ１Ｅは、柄部４Ｅを有して手の形をした枠状の本体部３Ｅと手の平に相当する部分に装着する音発生部材５Ｅとを備えて構成されている。音発生部材５は、両端部５ａ、５ｂを本体部３Ｄにおける親指に相当する部位を挿入した状態で手の平に相当する部位の両端部に装着し、中央部５ｂを弛ませるようにしている。音発生部材５の上方は各指に相当する部位内を含んで開放空間部３１Ｅに形成され、下方は開放空間部３２Ｅに形成されている。
【００２１】
図８〜９に示す応援グッズ１Ｆは、下部に柄部４Ｆを備えるとともに６角形の枠状に形成された本体部３Ｆと、６角形状の中央部５ｃと中央部５ｃから放射線状に突出して６角形の本体部３Ｆの各片３ｈにそれぞれ装着する腕部５ｄとからなる音発生部材５Ｆとを備えている。音発生部材５Ｆの腕部５ｄと本体部３Ｆとの装着は、図９に示すように、腕部５ｄを本体部３Ｆの各片３ｈに巻き付けるように粘着してもよく、また、腕部５ｄの端部を各片３ｈに被せて振動溶着で固着してもよい。音発生部材５Ｆの中央部５ｃは、本体部３Ｆに対して弛ませるようにするとともに、隣接する腕部５ｄ、５ｄ間には開放空間部３１Ｆが形成される。これによって、応援グッズ１Ｆを振ると弛んだ音発生部材５Ｆからバタつき音が発生される。
【００２２】
上記の各応援グッズ１には、本体部３あるいは音発生部材５に効率的に音を発生させる部材を装着することができる。例えば、図１０に示すように、音発生部材５の中央部５ｂに錘部材１１を装着する。これによって、応援グッズ１を手で振る際、錘部材１１の遠心力で振幅を大きくしてバタつき音を大きくすることができる。
【００２３】
また、図１１に示すように、本体部３の一部（図例では上枠３ａ）に複数の鈴１２を装着する。これによって、バタつき音と鈴の音が同時に発生でき、雰囲気を盛り上げることができる。この場合、鈴１２は本体部３に直接装着してもよく紐部材で吊り下げるようにしてもよい。さらに、鈴１２を音発生部材５に直接装着してもよい。
【００２４】
また、別の形態として、図１２に示すように、本体部３の一部（図例では、上枠部３ａ、下枠部３ｂ）に複数の光発生部材（例えば、ＬＥＤ）１３を埋設すれば、音の発生とともに光を発生することができて、応援を盛り上げることができる。この場合、本体部３の全部又は一部に蛍光塗料を塗布してもよい。
【００２５】
さらに別の形態としては、図１３に示すように、音発生部材５に、応援対象とするチーム名や選手名の文字１４又は図形、キャラクタ等を目立つように表示してもよい。これによって、さらに応援の雰囲気を盛り上げることができる。
【００２６】
これらの応援グッズ１を使用しないときには、図１４に示すように、柄部４に形成された孔状掛止孔４ａに掛止部材１５を掛止することによって、壁に掛けて保存しておくことができる。なお、掛止部材１５がストラップであれば、ストラップ内に手や指を挿通させて応援グッズ１を振るようにしてもよく、掛止部材１５がキーホルダであれば、キーホルダに飾り物を掛止した状態で使用することもできる。
【００２７】
上記のように構成された応援グッズ１は、ファンが、一方の手で柄部４を握り連続的に前後方向あるいは左右方向に振ることによって、音発生部材からバタつき音を発生させることができる。つまり、音発生装置５は、本体部３に対して弛むようにして装着されていることから、弛んだ音発生部材５は、振られることによって一端から他端に移動され、他端に移動された位置において張られた状態で一端停止する。この際、音発生部材５はその勢いで音（バタつき音）を発生することになる。多勢のファンが同時に応援グッズ１を振ることによって音は会場内に伝達され、応援雰囲気をかもし出すことができる。従って、本考案の応援グッズ１では、手で振ることによって応援意識を高めることができるとともに、この応援グッズ１で発生する音は、所詮、バタつき音であるから、大きな音が制限されて近隣又は他の観戦者への配慮をすることができる。また、片手で飲食したり、片手にハンディキャップを有していたりしても音を出して応援することができる。さらに、弛みの状態を調整したり錘部材１１を装着したりすることによって音の大きさを加減することができる。また、夏の暑い季節には、鈴を装着することによってバタつき音と鈴の音を発生することができて季節感を味わうことができる。
【００２８】
しかも構成が容易のことから廉価に製作でき、さらに軽量のため持ち運びに有利であるとともに他人を傷つけにくい。
【００２９】
また、これらの応援グッズ１は、風を送ることができることからウチワとして使用することもできる。
【００３０】
なお、図１０〜１４に示した錘部材や鈴又は光発生部材あるいは文字や掛止部材は、図１に示した応援グッズだけではなく、図３〜８に示した各形態の応援グッズに使用することができ、さらに組み合わせて使用することもできる。
【００３１】
また、音発生部材５と本体部３との間に開放空間部３１、３２を形成することなく柄部４を除く本体部３全面に固着しても、弛んだ状態で本体部３に装着された音発生部５はバタつき音を発生させることができる。
【図面の簡単な説明】
【００３２】
【図１】本考案の応援グッズの一形態を示す正面図である。
【図２】図１におけるII−II断面図である。
【図３】本考案の応援グッズにおける別の形態を示す正面図である。
【図４】本考案の応援グッズにおける別の形態を示す正面図である。
【図５】本考案の応援グッズにおける別の形態を示す正面図である。
【図６】本考案の応援グッズにおける別の形態を示す正面図である。
【図７】本考案の応援グッズにおける別の形態を示す正面図である。
【図８】本考案の応援グッズにおける別の形態を示す正面図である。
【図９】図８におけるIX−IX断面図である。
【図１０】図１の応援グッズに錘部材を装着した形態を示す正面図である。
【図１１】図１の応援グッズに鈴を装着した形態を示す正面図である。
【図１２】図１の応援グッズに光発生部材を装着した形態を示す正面図である。
【図１３】図１の応援グッズに文字を表示した形態を示す正面図である。
【図１４】図１の応援グッズに掛止部材を装着した形態を示す正面図である。
【符号の説明】
【００３３】
１、応援グッズ
３、本体部
４、柄部
４ａ、孔状掛止部
５、音発生部材
１１、錘部材
１２、鈴
１３、光発生部材
１４、文字
１５、掛止部材
３１、開放空間部
３２、開放空間部
３３、開放空間部
【図１】
0003125921.tif 000003
【図２】
0003125921.tif 000004
【図３】
0003125921.tif 000005
【図４】
0003125921.tif 000006
【図５】
0003125921.tif 000007
【図６】
0003125921.tif 000008
【図７】
0003125921.tif 000009
【図８】
0003125921.tif 000010
【図９】
0003125921.tif 000011
【図１０】
0003125921.tif 000012
【図１１】
0003125921.tif 000013
【図１２】
0003125921.tif 000014
【図１３】
0003125921.tif 000015
【図１４】
0003125921.tif 000016